(57)【要約】【課題】複数の画像を印刷する場合に、印刷される画像と印刷の進行状況を、限られたサイズの表示領域に見やすく表示する。【解決手段】印刷媒体に画像を印刷する印刷部２０と、複数の画像を指定された印刷長で印刷する印刷ジョブを、印刷部２０により実行させる印刷制御部１１２と、ディスプレイ３３と、印刷ジョブの実行状態を示す進捗画像を表示させる表示制御部１１３と、を備え、表示制御部１１３は、進捗画像として、各画像に対応するシンボル画像を、各々の画像の印刷長に対応するサイズで表示させ、印刷部２０による印刷済みの長さを示す実行済表示画像を、シンボル画像に対応する位置に配置して表示させる、プリンター１。【選択図】図３
2020044807.tif 000002
【特許請求の範囲】
【請求項１】
印刷媒体に画像を印刷する印刷部と、
複数の前記画像を指定された印刷長で印刷する印刷ジョブを、前記印刷部により実行させる印刷制御部と、
表示部と、
前記表示部に、前記印刷ジョブの実行状態を示す進捗画像を表示させる表示制御部と、を備え、
前記表示制御部は、前記進捗画像として、前記印刷ジョブに含まれる各々の前記画像に対応するシンボル画像を、各々の前記画像の印刷長に対応するサイズで表示させ、
前記印刷部による印刷済みの長さを示す実行済表示画像を、前記シンボル画像に対応する位置に配置して表示させる、印刷装置。
【請求項２】
印刷媒体に画像を印刷する印刷部を制御する印刷制御装置であって、
複数の前記画像を指定された印刷長で印刷する印刷ジョブを、前記印刷部により実行させる印刷制御部と、
前記印刷ジョブの実行状態を示す進捗画像を表示部により表示させる表示制御部と、を備え、
前記表示制御部は、前記進捗画像として、前記印刷ジョブに含まれる各々の前記画像に対応するシンボル画像を、各々の前記画像の印刷長に対応するサイズで表示させ、
前記印刷部による印刷済みの長さを示す実行済表示画像を、前記シンボル画像に対応する位置に配置して表示させる、印刷制御装置。
【請求項３】
前記表示制御部は、前記シンボル画像の一部の表示色を変更した画像で構成される前記実行済表示画像を、前記表示部に表示させる、請求項２記載の印刷制御装置。
【請求項４】
前記表示制御部は、前記印刷部が印刷する前記画像を縮小したサムネイル画像で構成される前記シンボル画像を、前記表示部に表示させる、請求項２または３記載の印刷制御装置。
【請求項５】
入力を受け付ける入力部を備え、
前記印刷制御部は、前記入力部で受け付けられた入力に基づき、前記印刷部による印刷を開始していない前記印刷ジョブの印刷長を変更する、請求項２から４のいずれか１項に記載の印刷制御装置。
【請求項６】
前記表示制御部は、前記印刷ジョブの印刷長を変更する入力が前記入力部で受け付けられた場合に、印刷長を変更できない前記印刷ジョブに対応する前記シンボル画像の表示態様を変更させる、請求項５記載の印刷制御装置。
【請求項７】
前記印刷制御部は、前記入力部で受け付けられた入力に基づき、前記印刷部による印刷を開始していない前記印刷ジョブの実行順序を変更する、請求項５または６記載の印刷制御装置。
【請求項８】
前記印刷制御部は、前記印刷媒体に印刷するサイズが規定された前記画像を、前記印刷ジョブに対して指定された印刷長に合わせて、前記印刷部により印刷させる、請求項２から７のいずれか１項に記載の印刷制御装置。
【請求項９】
印刷媒体に画像を印刷する印刷部を有する印刷装置の制御方法であって、
複数の前記画像を指定された印刷長で印刷する印刷ジョブを実行し、
前記印刷ジョブの実行状態を示す進捗画像を表示部により表示し、
前記進捗画像として、前記印刷ジョブに含まれる各々の前記画像に対応するシンボル画像を、各々の前記画像の印刷長に対応するサイズで表示し、前記シンボル画像に対応する位置に、印刷済みの長さを示す実行済表示画像を配置して表示する、印刷装置の制御方法。
【発明の詳細な説明】
【技術分野】
【０００１】
本発明は、印刷装置、印刷制御装置、及び、印刷装置の制御方法に関する。
【背景技術】
【０００２】
従来、印刷の進行状況を表示する印刷装置が知られている（例えば、特許文献１参照）。特許文献１記載の装置は、印刷装置に送られる画像データと同じデータを表示用のメモリーに伝送して表示することにより、印刷される画像と同じ画像データを、印刷進行状況を表示するデータとして利用する。
【先行技術文献】
【特許文献】
【０００３】
【特許文献１】特開２００８−１２９６４２号公報
【発明の概要】
【発明が解決しようとする課題】
【０００４】
本発明は、複数の画像を印刷する場合に、印刷中の画像と印刷の進行状況を、表示領域にわかりやすく表示する。
【課題を解決するための手段】
【０００５】
本発明の一態様は、印刷媒体に画像を印刷する印刷部と、複数の前記画像を指定された印刷長で印刷する印刷ジョブを、前記印刷部により実行させる印刷制御部と、表示部と、前記表示部に、前記印刷ジョブの実行状態を示す進捗画像を表示させる表示制御部と、を備え、前記表示制御部は、前記進捗画像として、前記印刷ジョブに含まれる各々の前記画像に対応するシンボル画像を、各々の前記画像の印刷長に対応するサイズで表示させ、前記印刷部による印刷済みの長さを示す実行済表示画像を、前記シンボル画像に対応する位置に配置して表示させる、印刷装置である。
【０００６】
本発明の一態様は、印刷媒体に画像を印刷する印刷部を制御する印刷制御装置であって、複数の前記画像を指定された印刷長で印刷する印刷ジョブを、前記印刷部により実行させる印刷制御部と、前記印刷ジョブの実行状態を示す進捗画像を表示部により表示させる表示制御部と、を備え、前記表示制御部は、前記進捗画像として、前記印刷ジョブに含まれる各々の前記画像に対応するシンボル画像を、各々の前記画像の印刷長に対応するサイズで表示させ、前記印刷部による印刷済みの長さを示す実行済表示画像を、前記シンボル画像に対応する位置に配置して表示させる、印刷制御装置である。
【０００７】
上記印刷制御装置において、前記表示制御部は、前記シンボル画像の一部の表示色を変更した画像で構成される前記実行済表示画像を、前記表示部に表示させる構成であってもよい。
【０００８】
上記印刷制御装置において、前記表示制御部は、前記印刷部が印刷する前記画像を縮小したサムネイル画像で構成される前記シンボル画像を、前記表示部に表示させる構成であってもよい。
【０００９】
上記印刷制御装置において、入力を受け付ける入力部を備え、前記印刷制御部は、前記入力部で受け付けられた入力に基づき、前記印刷部による印刷を開始していない前記印刷ジョブの印刷長を変更する構成であってもよい。
【００１０】
上記印刷制御装置において、前記表示制御部は、前記印刷ジョブの印刷長を変更する入力が前記入力部で受け付けられた場合に、印刷長を変更できない前記印刷ジョブに対応する前記シンボル画像の表示態様を変更させる構成であってもよい。
【００１１】
上記印刷制御装置において、前記印刷制御部は、前記入力部で受け付けられた入力に基づき、前記印刷部による印刷を開始していない前記印刷ジョブの実行順序を変更する構成であってもよい。
【００１２】
上記印刷制御装置において、前記印刷制御部は、前記印刷媒体に印刷するサイズが規定された前記画像を、前記印刷ジョブに対して指定された印刷長に合わせて、前記印刷部により印刷させる構成であってもよい。
【００１３】
本発明の一態様は、印刷媒体に画像を印刷する印刷部を有する印刷装置の制御方法であって、複数の前記画像を指定された印刷長で印刷する印刷ジョブを実行し、前記印刷ジョブの実行状態を示す進捗画像を表示部により表示し、前記進捗画像として、前記印刷ジョブに含まれる各々の前記画像に対応するシンボル画像を、各々の前記画像の印刷長に対応するサイズで表示し、前記シンボル画像に対応する位置に、印刷済みの長さを示す実行済表示画像を配置して表示する、印刷装置の制御方法である。
【図面の簡単な説明】
【００１４】
【図１】実施形態のプリンターの概略構成図。
【図２】印刷媒体の搬送方向とキャリッジの走査方向を示す概略平面図。
【図３】プリンターのブロック図。
【図４】印刷ジョブの構成を示す模式図。
【図５】シンボル画像及び実行済表示画像の例を示す図。
【図６】進捗画像の例を示す図。
【図７】プリンターの動作を示すフローチャート。
【図８】プリンターの動作を示すフローチャート。
【発明を実施するための形態】
【００１５】
以下、本発明を実施するための形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。
【００１６】
［１．プリンターの構成］
図１は、プリンター１の構成を示す斜視図である。
プリンター１は、インクＩＫを吐出する印刷ヘッド９を備え、印刷媒体ＷにインクＩＫを吐出して画像を形成するインクジェット式の印刷装置である。
【００１７】
印刷媒体Ｗは、例えば、天然繊維や合成繊維で構成された布帛である。プリンター１は、布帛である印刷媒体ＷにインクＩＫを付着させることで、印刷媒体Ｗの捺染を行う捺染印刷機であり、印刷媒体Ｗは被捺染材ということができる。また、印刷媒体Ｗとしては、上記被捺染材の他、普通紙、上質紙、及び光沢紙などのインクジェット記録用専用紙等を用いることもできる。
【００１８】
プリンター１は、印刷媒体Ｗを搬送する繰出装置２、搬送ローラー３、４、搬送ベルト５、及び巻取装置６を備える。これらの各部は後述する搬送機構２１を構成する。プリンター１は、印刷ヘッド９と、印刷ヘッド９で使用されるインクＩＫを貯留するインクカートリッジ１０を備える。
【００１９】
繰出装置２は、ロール状に巻回された長尺の印刷媒体Ｗを繰り出す装置であり、印刷媒体Ｗの搬送経路において最も上流に位置する。
搬送ローラー３、４は、無端形状の搬送ベルト５を駆動する一対のローラーであり、例えば、搬送ローラー３は駆動ローラーであり、搬送ローラー４は従動ローラーである。搬送ベルト５は、その表面に粘着性を有する粘着層が形成されたグルーベルトである。繰出装置２から送り出された印刷媒体Ｗは搬送ベルト５の粘着層に粘着固定され、搬送ベルト５とともに搬送方向Ｆに搬送される。
【００２０】
搬送ベルト５は、印刷媒体Ｗを搬送方向Ｆに搬送し、印刷ヘッド９に対向する位置で印刷媒体Ｗを支持する。
印刷ヘッド９は、キャリッジ８に搭載され、キャリッジ８とともに印刷媒体Ｗの上を後述する主走査方向ＳＣに往復移動する。
【００２１】
印刷ヘッド９は、インク供給経路１１によりインクカートリッジ１０に接続される。プリンター１は、複数の色のインクＩＫを利用したカラー印刷を行うことができ、例えば、ブラック（Ｋ）、シアン（Ｃ）、マゼンタ（Ｍ）、イエロー（Ｙ）の４色のインクＩＫが用いられる。また、プリンター１は、メタリック色等の特色のインクＩＫを用いる構成であってもよい。プリンター１は、インクＩＫの色毎にインクカートリッジ１０を搭載し、印刷ヘッド９は、インクＩＫの各色に対応するノズルを備え、ノズルからインクＩＫを噴射する。
【００２２】
印刷ヘッド９は、インクＩＫのほか、浸透液を印刷媒体Ｗに噴射する構成であってもよい。浸透液は、印刷媒体Ｗの表面に付着したインクＩＫの裏面への浸透を促進する液体である。例えば、プリンター１において、インクカートリッジ１０とは別に浸透液を貯留したカートリッジを、印刷ヘッド９に接続した構成とすることができる。この場合、印刷ヘッド９は、インクＩＫの噴射とともに、あるいはインクＩＫの噴射とは異なるタイミングで、印刷媒体Ｗに向けて浸透液を吐出する。
【００２３】
巻取装置６は、印刷媒体Ｗの搬送経路の下流に位置し、印刷ヘッド９により印刷された印刷媒体Ｗを巻取リールに巻き取る。
巻取装置６の上流には、乾燥部７が配置される。乾燥部７は、印刷ヘッド９による印刷位置と巻取装置６との間に位置し、印刷媒体Ｗに付着したインクＩＫを乾燥させる。乾燥部７は、例えば、印刷媒体Ｗを収容するチャンバーと、チャンバーの内部に配置されたヒーターとを有し、印刷媒体Ｗ上にある未乾燥状態のインクＩＫを、ヒーターの熱によって乾燥させる。
【００２４】
図１の構成において、繰出装置２と搬送ローラー３との間、及び、搬送ローラー４と巻取装置６との間に、テンショナー、及び／または中間搬送ローラーを配置してもよい。テンショナーは、例えば、搬送される印刷媒体Ｗをローラーにより押圧してテンションを与える。中間搬送ローラーは、例えば、印刷媒体Ｗを挟む一対のローラーにより、印刷媒体Ｗを搬送する。
【００２５】
図２は、印刷媒体Ｗの搬送方向とキャリッジ８の走査方向とを示す概略平面図である。図２において、印刷媒体ＷにインクＩＫが付着した領域を、印刷済領域ＷＡとしてハッチングを付して示す。
【００２６】
キャリッジ８は、印刷媒体Ｗの搬送方向Ｆと交差する方向に、往復走査される。本実施形態では、搬送方向Ｆと直交する主走査方向ＳＣに、キャリッジ８が往復移動する。搬送方向Ｆにおける印刷済領域ＷＡの長さを、印刷長と呼ぶ。
【００２７】
［２．プリンターの制御系の構成］
図３は、プリンター１のブロック図である。
プリンター１は、プリンター１の各部を制御する制御部１００を備える。制御部１００は、プログラムを実行するプロセッサー１１０、及び、記憶部１２０を備える。プロセッサー１１０は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、マイコン等で構成される演算処理装置である。また、プロセッサー１１０は、複数のハードウェアにより構成されてもよいし、単一のプロセッサーで構成されてもよい。また、プロセッサー１１０が、後述する各部の機能を実現するようプログラムされたハードウェアであってもよい。すなわち、プロセッサー１１０は、制御プログラム１２１をハードウェア回路として搭載した構成であってもよい。この場合、例えば、プロセッサー１１０は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）で構成される。
以下の説明では、プロセッサー１１０が制御プログラム１２１を実行することにより、制御部１００の各種の機能を実現する構成例を説明する。
制御部１００は、印刷制御装置に相当する。
【００２８】
記憶部１２０は、プロセッサー１１０が実行するプログラムや、プロセッサー１１０により処理されるデータを記憶する記憶領域を有する。記憶部１２０は、プロセッサー１１０が実行する制御プログラム１２１、及び、プリンター１の動作に関する各種の設定値を含む設定データ１２２を記憶する。記憶部１２０は、プログラムやデータを不揮発的に記憶する不揮発性記憶領域を有する。また、記憶部１２０は、揮発性記憶領域を備え、プロセッサー１１０が実行するプログラムや処理対象のデータを一時的に記憶する印刷媒体エリアを構成してもよい。
【００２９】
制御部１００には、印刷部２０が接続される。印刷部２０は、印刷ヘッド９及び搬送機構２１を含む。搬送機構２１は、印刷媒体Ｗを搬送する機構であり、図１に示した搬送ローラー３、４及びこれらを駆動するモーターを含む。また、搬送機構２１は、繰出装置２及び巻取装置６を含んでもよい。搬送機構２１は、上記のテンショナーや中間搬送ローラーを含んでもよい。
【００３０】
また、本実施形態の印刷部２０は、キャリッジ駆動機構２２を含む。キャリッジ駆動機構２２は、キャリッジ８を主走査方向ＳＣに往復移動させる機構であり、例えば、駆動源としてのモーター、キャリッジ８の移動をガイドするガイド部材、モーターの動力をキャリッジ８に伝達するギヤやリンク等を含む。
【００３１】
また、制御部１００には、図示しない各種センサーが接続されてもよい。例えば、印刷ヘッド９が備えるノズルの吐出不良を検出するノズルセンサーや、搬送ベルト５における搬送不良を検出するベルトセンサーが接続されてもよい。制御部１００は、これらを含む各種センサーの検出値を取得し、判定することにより、プリンター１の動作状態を監視してもよい。
【００３２】
制御部１００にはインターフェイス２９が接続される。インターフェイス２９は、図においてＩ／Ｆと略記する。インターフェイス２９は、プリンター１の外部の装置に有線または無線で接続される。インターフェイス２９は、例えば、ケーブルを接続するコネクターと、ケーブルを介して電気信号を伝送するインターフェイス回路とを備える。また、インターフェイス２９は、アンテナやＲＦ回路を有する無線通信モジュールであってもよい。プリンター１の外部の装置は、例えば、コンピューターやサーバー装置である。制御部１００は、インターフェイス２９によって、外部の装置から画像データを受信した場合、受信した画像データを記憶部１２０に記憶する。また、制御部１００は、インターフェイス２９によって、外部の装置から、印刷を指示するジョブデータを受信した場合、受信したジョブデータを記憶部１２０に記憶する。
【００３３】
プリンター１は、操作部３０を備える。操作部３０は、キーボード３１、タッチパネル３２、及び、ディスプレイ３３を備える。操作部３０は、キーボード３１及びタッチパネル３２のいずれか一方のみを備える構成であってもよい。ディスプレイ３３は、表示部に相当する。また、操作部３０は、キーボード３１及びタッチパネル３２を備えることにより、入力部に相当する。
キーボード３１は、オペレーターにより操作される複数のキーを有し、操作されたキーを示す操作データを制御部１００に出力する。ディスプレイ３３は、ＬＣＤ（Ｌｉｑｕｉｄ  Ｃｒｙｓｔａｌ  Ｄｉｓｐｌａｙ）等の表示画面を有し、制御部１００の制御に従って画像を表示する。タッチパネル３２は、ディスプレイ３３の表示画面に重ねて配置され、表示画面に対する接触操作を検出し、接触位置を示す操作データを制御部１００に出力する。
【００３４】
［３．制御部の構成］
制御部１００は、入力検出部１１１、印刷制御部１１２、及び、表示制御部１１３を備える。これらの各部は、上述したように、例えば、プロセッサー１１０が制御プログラム１２１を実行することによって、ソフトウェアとハードウェアとの協働により実現される。
【００３５】
記憶部１２０は、制御プログラム１２１、設定データ１２２、画像データ１２３、及び、ジョブデータ１２４を記憶する。制御プログラム１２１はプロセッサー１１０により実行されるプログラムであり、設定データ１２２は、制御プログラム１２１の実行に関する設定値を含む。
【００３６】
入力検出部１１１は、キーボード３１、及びタッチパネル３２から入力される操作データに基づき、オペレーターの入力操作を検出し、入力された内容を取得する。入力検出部１１１は、インターフェイス２９を介して受信したデータを解析し、画像データを受信した場合は記憶部１２０に画像データ１２３として記憶する。また、印刷ジョブに関するデータを受信した場合は、ジョブデータ１２４として記憶する。
画像データ１２３は、印刷ヘッド９が印刷媒体Ｗに印刷する画像のデータであり、記憶部１２０は複数の画像データ１２３を記憶できる。
【００３７】
印刷制御部１１２は、ジョブデータ１２４に従って、印刷ヘッド９、搬送機構２１、及びキャリッジ駆動機構２２を制御し、印刷媒体Ｗに印刷を実行させる。
ジョブデータ１２４は、１または複数の印刷ジョブを単位として、印刷制御部１１２が印刷を実行するためのデータである。ここで、印刷ジョブについて説明する。
【００３８】
図４は、印刷ジョブ１５０の構成を示す模式図である。ジョブデータ１２４は、１または複数の印刷ジョブ１５０を含むデータである。
【００３９】
印刷ジョブ１５０は、画像を指定された印刷長で印刷するための情報を含む。印刷ジョブ１５０は、１つの画像を印刷するための情報であってもよいし、複数の画像についての情報を含む構成であってもよい。図４に例示する印刷ジョブ１５０は、３つの画像を指定された印刷長で印刷するための情報として、第１情報１５１、第２情報１５２、第３情報１５３を含む。
【００４０】
印刷ジョブ１５０、インターフェイス２９を介してプリンター１に入力されたデータであってもよい。また、キーボード３１及び／またはタッチパネル３２の操作により入力された情報に基づき、制御部１００が第１情報１５１、第２情報１５２、及び第３情報１５３を生成し、ジョブデータ１２４として記憶部１２０に記憶させてもよい。
【００４１】
第１情報１５１は、画像指定情報と、印刷長と、印刷条件とを含む。画像指定情報は、印刷部２０が印刷媒体Ｗに印刷する画像を指定する情報である。画像指定情報は、記憶部１２０が記憶する画像データ１２３のいずれかを指定する。例えば、記憶部１２０が、複数の画像データ１２３を、それぞれ１つのファイルとして記憶する場合、画像指定情報は、いずれかの画像データ１２３を指定するファイル名やファイルパスを含む。
【００４２】
印刷長は、画像指定情報により指定される画像を印刷する長さを指定する情報である。印刷長は、第１情報１５１が対象とする画像を印刷する印刷媒体Ｗの搬送方向Ｆにおけるサイズを、例えばメートル単位で指定する。印刷長が画像データ１２３の画像のサイズより大きい場合、印刷制御部１１２は、画像データ１２３の画像を繰り返し印刷媒体Ｗに印刷する。このため、画像データ１２３は、印刷長に比べて小さい画像のデータであってもよい。また、画像データ１２３は、搬送方向Ｆに直交する方向における印刷媒体Ｗのサイズ、すなわち印刷媒体Ｗの幅よりも小さい画像のデータであってもよい。この場合、印刷制御部１１２は、画像データ１２３の画像を、印刷媒体Ｗの幅方向においても繰り返し印刷する。
【００４３】
印刷条件は、印刷ヘッド９が画像を印刷する際の条件を含む。例えば、印刷条件は、印刷ヘッド９が印刷する画像の印刷解像度を含む。また、印刷条件は、印刷濃度や、単位面積あたりのインク量を指定する情報を含んでもよい。
【００４４】
印刷制御部１１２は、印刷ジョブ１５０を実行する場合、印刷ジョブ１５０に含まれる情報によって指定される１または複数の画像をまとめて印刷する。図４に示したように、印刷ジョブ１５０が複数の画像の印刷に関する情報を含む場合、印刷制御部１１２は、印刷ジョブ１５０で指定される複数の画像を順に、連続して印刷する。
【００４５】
図４に示す印刷ジョブ１５０は一例であり、例えば、印刷ジョブ１５０が指定する全ての画像に共通する１つの印刷条件を含んでもよい。すなわち、印刷ジョブ１５０は、画像毎に独立した情報である第１情報１５１、第２情報１５２及び第３情報１５３を含む例に限定されない。印刷ジョブ１５０は、１つの画像または連続して印刷される複数の画像を指定する情報と、各画像の印刷長を指定する情報とを含んでいればよい。
【００４６】
印刷制御部１１２は、ジョブデータ１２４を参照し、操作部３０の操作により指定された印刷ジョブ１５０のデータを取得する。印刷制御部１１２は、指定された印刷ジョブ１５０に従って、１または複数の画像を印刷部２０により印刷する。
表示制御部１１３は、ディスプレイ３３を制御して、各種の画像を表示させる。
【００４７】
表示制御部１１３は、印刷制御部１１２が印刷ジョブ１５０を実行する際に、印刷される画像を示すシンボル画像を、画像の印刷長に対応するサイズで表示する。さらに、表示制御部１１３は、印刷部２０による印刷の進捗状況を示す画像として、実行済表示画像を、シンボル画像とともに表示する。
【００４８】
図５は、表示制御部１１３がディスプレイ３３に表示するシンボル画像及び実行済表示画像の例を示す図である。
シンボル画像２０１、２０２、２０３は、ディスプレイ３３に表示される画像であり、それぞれ、印刷部２０が印刷媒体Ｗに印刷する画像を示している。
【００４９】
シンボル画像２０１、２０２、２０３は、画像データ１２３に含まれる印刷用の画像から生成されるサムネイル画像であり、ディスプレイ３３の表示解像度に適合する画素数の画像である。シンボル画像２０１、２０２、２０３は、画像データ１２３をもとに予め生成されて、記憶部１２０に記憶されていてもよいし、印刷制御部１１２が、印刷ジョブ１５０を実行する際に生成してもよい。
後述するように、表示制御部１１３は、シンボル画像２０１、２０２、２０３の表示サイズを印刷長に合わせて設定し、変更する。このため、シンボル画像２０１、２０２、２０３の画素数は、表示サイズの変更に対応できるように、決められた画素数の画像であってもよい。この決められた画素数を単位サイズと呼ぶ。この場合、表示制御部１１３は、シンボル画像２０１、２０２、２０３の表示サイズに合わせて、単位サイズのシンボル画像２０１、２０２、２０３を複数並べて表示してもよい。
【００５０】
表示制御部１１３は、シンボル画像２０１、２０２、２０３とともに、あるいは、シンボル画像２０１、２０２、２０３に変えて、実行済表示画像２１１、２１２、２１３を表示する。実行済表示画像２１１、２１２、２１３は、シンボル画像２０１、２０２、２０３をもとに生成される画像である。
【００５１】
実行済表示画像２１１、２１２、２１３は、シンボル画像２０１、２０２、２０３の表示態様を変更した画像である。例えば、図５に示すように、実行済表示画像２１１は、シンボル画像２０１の表示色を変更した画像である。実行済表示画像２１１は、例えば、シンボル画像２０１を構成するいずれか１の色を他の色に置き換えた画像である。或いは、実行済表示画像２１１は、シンボル画像２０１の全体を所定の色で着色した画像、シンボル画像２０１の輝度や彩度を所定の値に変更した画像、シンボル画像２０１の色を反転させた画像などである。実行済表示画像２１２、２１３も同様に、シンボル画像２０２、２０３の表示色を変更した画像である。
【００５２】
以下の説明では、シンボル画像２０１は、図４に示した第１情報１５１の画像指定情報により指定された画像のサムネイル画像であり、シンボル画像２０２は、第２情報１５２の画像指定情報により指定された画像のサムネイル画像である。シンボル画像２０３は、第３情報１５３の画像指定情報により指定された画像のサムネイル画像である。
【００５３】
［４．プリンターの動作］
続いて、プリンター１の動作を説明する。以下に説明する動作は、プリンター１が、印刷ジョブ１５０に基づき画像を印刷媒体Ｗに印刷する場合の動作例である。
【００５４】
図６は、表示制御部１１３がディスプレイ３３に表示させる進捗画像１７１の例を示す図である。図６には、プリンター１の動作の状態に対応する進捗画像１７１の表示態様を、符号Ａ、Ｂ、Ｃ、Ｄで示す。
図７及び図８は、プリンター１の動作を示すフローチャートである。
【００５５】
図６の進捗画像１７１は、印刷制御部１１２が印刷ジョブ１５０を実行する場合に、表示制御部１１３が、ディスプレイ３３に表示させる画像である。図中、ディスプレイ３３の表示領域における水平方向を符号Ｘで、垂直方向を符号Ｙで示す。
シンボル画像２０１、２０２、２０３の表示サイズは、Ｙ方向においては固定されたサイズであり、Ｘ方向においては可変である。表示サイズＬ１、Ｌ２、Ｌ３、Ｌ１１、Ｌ１２、Ｌ１３、Ｌ２１は、Ｘ方向における表示サイズであり、表示長ということもできる。
【００５６】
進捗画像１７１は、シンボル画像２０１、２０２、２０３を含む。シンボル画像２０１、２０２、２０３は、上述したように印刷ジョブ１５０で印刷される画像のサムネイル画像である。進捗画像１７１は、シンボル画像２０１、２０２、２０３を、印刷ジョブ１５０における印刷順序に従って、図中左から順に並べて構成される。
【００５７】
シンボル画像２０１の表示サイズＬ１１、シンボル画像２０２の表示サイズＬ１２、及び、シンボル画像２０３の表示サイズＬ１３は、それぞれ、第１情報１５１、第２情報１５２、第３情報１５３の印刷長に比例する。すなわち、表示サイズＬ１１：表示サイズＬ１２：表示サイズＬ１３の比は、第１情報１５１の印刷長：第２情報１５２の印刷長：第３情報１５３の印刷長の比と等しい。
【００５８】
本実施形態では、進捗画像１７１全体の表示サイズＬ１は可変である。この場合、表示サイズＬ１は、表示サイズＬ１１、Ｌ１２、Ｌ１３を合計した長さである。
表示制御部１１３は、表示サイズＬ１を固定して進捗画像１７１を表示してもよい。この場合、表示サイズＬ１１、Ｌ１２、Ｌ１３は、表示サイズＬ１を、印刷長に基づき比例配分した表示サイズとなる。
【００５９】
表示制御部１１３は、印刷制御部１１２が印刷を開始した後は、印刷が済んだ長さに対応する実行済表示画像２１１、２１２、２１３を、シンボル画像２０１、２０２、２０３に対応する位置に表示する。実行済表示画像２１１は、シンボル画像２０１に対応する画像の少なくとも一部が印刷済みであることを示し、表示サイズＬ２１は、搬送方向Ｆにおける印刷済領域ＷＡの長さを示している。すなわち、表示サイズＬ１１：表示サイズＬ２１の比は、第１情報１５１の印刷長：印刷済みの長さの比に等しい。
【００６０】
このように、シンボル画像２０１に重ねて実行済表示画像２１１が視認されることで、シンボル画像２０１の印刷長のうち、印刷部２０によって印刷が済んだ長さを、明瞭に表示できる。実行済表示画像２１１の表示位置は、シンボル画像２０１に対応する位置であればよく、シンボル画像２０１に重なる位置に限定されない。例えば、実行済表示画像２１１が、シンボル画像２０１の下方または上方に並べて表示されてもよい。
【００６１】
また、シンボル画像２０２、２０３に対応する画像の印刷が開始された後は、シンボル画像２０２、２０３に対応する実行済表示画像２１２、２１３がそれぞれ、シンボル画像２０２、２０３に対応する位置に表示される。
【００６２】
進捗画像１７１の表示を含むプリンター１の動作を、図７のフローチャートに従って説明する。
図７の処理は、入力検出部１１１が、実行する印刷ジョブを選択する入力、及び、印刷ジョブの実行を指示する入力を受け付けることにより、開始される。印刷制御部１１２は、入力検出部１１１の入力により指定された印刷ジョブ１５０を選択する（ステップＳ１１）。ここで、表示制御部１１３は、ステップＳ１１で選択された印刷ジョブ１５０により印刷される画像のサムネイル画像を取得する（ステップＳ１２）。ステップＳ１２で、表示制御部１１３は、記憶部１２０に記憶されているサムネイル画像を取得する処理、或いは、画像データ１２３に基づきサムネイル画像を生成する処理を行う。ステップＳ１２で取得されたサムネイル画像は、シンボル画像２０１、２０２、２０３として使用される。
【００６３】
表示制御部１１３は、ステップＳ１２で取得したサムネイル画像に基づき、実行済表示画像２１１、２１２、２１３を生成する（ステップＳ１３）。さらに、表示制御部１１３は、印刷ジョブ１５０から各画像の印刷長を取得する（ステップＳ１４）。表示制御部１１３は、印刷ジョブ１５０の全体の印刷長を算出し（ステップＳ１５）、印刷ジョブ１５０の各画像の印刷長の比率を算出する（ステップＳ１６）。
【００６４】
表示制御部１１３は、ステップＳ１４、Ｓ１５で取得または算出した印刷長と、ステップＳ１６で算出した比率とに従って、進捗画像１７１をディスプレイ３３により表示させる（ステップＳ１７）。
【００６５】
印刷制御部１１２は、ステップＳ１１で選択した印刷ジョブ１５０に従い、印刷する画像を選択し（ステップＳ１８）、選択した画像の印刷条件を設定し（ステップＳ１９）、画像の印刷を開始する（ステップＳ２０）。
【００６６】
表示制御部１１３は、印刷制御部１１２の制御により印刷された長さを取得し（ステップＳ２１）、取得した長さに基づき進捗画像１７１の表示を更新する（ステップＳ２２）。ステップＳ２１で、表示制御部１１３は、例えば、印刷開始からの搬送機構２１による印刷媒体Ｗの搬送量を印刷制御部１１２から取得してもよいし、表示制御部１１３が、印刷媒体Ｗの搬送量を算出してもよい。
ステップＳ２２で、印刷制御部１１２は、進捗画像１７１に実行済表示画像２１１、２１２、２１３を表示する処理や、実行済表示画像２１１、２１２、２１３の表示サイズを変更する処理等を実行する。
【００６７】
表示制御部１１３は、ステップＳ２０で印刷開始された画像の印刷が完了したか否かを判定し（ステップＳ２３）、印刷が完了していない場合は（ステップＳ２３；ＮＯ）、ステップＳ２１に戻る。表示制御部１１３は、ステップＳ２１〜Ｓ２２の処理を、予め設定された周期で繰り返し実行する。
【００６８】
画像の印刷が完了した場合（ステップＳ２３；ＹＥＳ）、印刷制御部１１２は、ステップＳ１１で選択した印刷ジョブのうち印刷されていな画像があるか否かを判定する（ステップＳ２４）。印刷されていな画像がある場合（ステップＳ２４；ＹＥＳ）、印刷制御部１１２はステップＳ１８に戻り、次の画像を選択する。また、印刷されていな画像がない場合、すなわち、印刷ジョブ１５０の全ての画像の印刷が完了した場合（ステップＳ２４；ＮＯ）、制御部１００は本処理を終了する。
【００６９】
プリンター１は、印刷ジョブ１５０に従って印刷媒体Ｗへの印刷を実行し、印刷中に、ディスプレイ３３に、印刷される画像を示すシンボル画像２０１、２０２、２０３を、各画像の印刷長に対応する表示サイズで表示する。このため、プリンター１を操作するオペレーターは、印刷ジョブ１５０で印刷される実際の印刷物のイメージを、視覚によって容易に把握できる。
【００７０】
例えば、印刷媒体Ｗが、服飾品やインテリア製品の製造に使用される布製品である場合、印刷媒体Ｗの長さ、及び、プリンター１が印刷する印刷長は、長大となる。このため、印刷媒体Ｗにおける画像の印刷長を把握することは容易ではない。特に、複数の画像を連続して印刷する場合、各画像の印刷長を把握することはより難しく、印刷長の設定や確認のために、オペレーターが労力の大きい作業を行うことがあった。プリンター１によれば、印刷される各画像を示すシンボル画像２０１、２０２、２０３の表示サイズＬ１１、Ｌ１２、Ｌ１３の比により、各画像の印刷長を容易に把握できる。すなわち、印刷される各画像を示すシンボル画像２０１、２０２、２０３が、ディスプレイ３３に、印刷順に従って配置されているので、印刷順序と印刷長を目視で容易に知ることができ、例えば印刷ジョブ１５０の設定が正しいか否かを容易に判断できる。また、プリンター１は、印刷部２０により印刷が済んだ印刷媒体Ｗの長さを、実行済表示画像２１１、２１２、２１３により表示する。実行済表示画像２１１、２１２、２１３の表示サイズは、印刷が済んだ印刷媒体Ｗの長さに対応し、表示制御部１１３は、印刷の進捗に対応して、印刷中に進捗画像１７１を更新する。このため、進捗画像１７１により、印刷される画像とともに印刷の進捗状況を容易に知ることができる。
【００７１】
プリンター１は、ディスプレイ３３により進捗画像１７１が表示された状態で、実行中の印刷ジョブ１５０により印刷される画像の設定を変更可能である。具体的には、印刷制御部１１２が、入力検出部１１１が検出した入力に従って、印刷ジョブ１５０に含まれる印刷長、及び、画像の印刷順序の設定を変更できる。この設定の変更は、印刷部２０による印刷を開始した後であっても実行できる。しかしながら、印刷制御部１１２は、印刷が済んだ画像、及び、印刷が開始された画像については、設定を変更しない。
【００７２】
図６の状態Ａにおいて、設定の変更が要求された場合、表示制御部１１３は、設定を変更できない画像について、設定を変更できないことを表示により通知する。図６の状態Ｂは、シンボル画像２０１に対応する位置に、通知画像２２１が表示された状態を示す。通知画像２２１は、シンボル画像２０１に対応する画像について、設定を変更できないことを通知する画像である。通知画像２２１は、文字を含まない画像であってもよい。また、通知画像２２１の表示位置は、シンボル画像２０１、または実行済表示画像２１１に重なる位置に限らず、シンボル画像２０１の上方または下方に並ぶ位置であってもよい。
【００７３】
状態Ｂにおいて、シンボル画像２０２、２０３に対応する画像の設定変更が要求された場合、印刷制御部１１２は、入力検出部１１１が検出する入力に従って、印刷ジョブ１５０の印刷長の設定値や、印刷ジョブ１５０における印刷順序を変更する。
【００７４】
表示制御部１１３は、進捗画像１７１を表示している間に、印刷制御部１１２により印刷長または印刷順序が変更された場合、進捗画像１７１を、変更後の印刷長及び印刷順序に対応させて更新する。
【００７５】
状態Ｃは、印刷長が変更された場合の表示例であり、シンボル画像２０２に対応する画像の印刷長が、より長く変更された例を示す。状態Ｃでは、シンボル画像２０２の表示サイズが、状態Ａ、Ｂの表示サイズＬ１２よりも長い表示サイズＬ３に変更されている。これに伴い、進捗画像１７１全体の表示サイズは、表示サイズＬ１よりも長い表示サイズＬ２に変更されている。シンボル画像２０３は、進捗画像１７１の更新前と同じ表示サイズＬ１３で表示されている。
【００７６】
状態Ｄは、印刷順序が変更された場合の表示例であり、シンボル画像２０２に対応する画像とシンボル画像２０３に対応する画像の順序が入れ替えられた例を示す。状態Ｄでは、シンボル画像２０１に隣接しシンボル画像２０３が表示され、シンボル画像２０３の右隣にシンボル画像２０２が表示されている。シンボル画像２０１、２０２、２０３の表示サイズは変更されていない。
【００７７】
印刷の設定変更および進捗画像１７１の更新に関する動作を、図８のフローチャートに示す。
図８の動作は、キーボード３１及び／またはタッチパネル３２の操作により、設定変更が要求された場合に、割り込み処理として開始される。
制御部１００は、入力検出部１１１により、設定変更の要求を受け付ける（ステップＳ３１）。印刷制御部１１２は、ステップＳ１１で選択した印刷ジョブ１５０に含まれる画像のうち、設定変更が可能な画像を特定する（ステップＳ３２）。表示制御部１１３は、ステップＳ３２の処理の結果に基づき、設定変更できない画像について、進捗画像１７１の表示状態を変更する（ステップＳ３３）。ステップＳ３３で、表示制御部１１３は、設定変更できない画像に対応するシンボル画像２０１、２０２、２０３の表示態様を変化させる。例えば、表示制御部１１３は、シンボル画像２０１、２０２、２０３の表示色を変化させたり、シンボル画像２０１、２０２、２０３に対応する位置に通知画像２２１を表示したりする。
【００７８】
印刷制御部１１２は、入力検出部１１１により、印刷長を変更する指示が入力されたか否かを判定する（ステップＳ３４）。印刷長を変更する指示が入力された場合（ステップＳ３４；ＹＥＳ）、印刷制御部１１２は、変更する印刷長の入力値を取得する（ステップＳ３５）。印刷制御部１１２は、入力値に基づき、ジョブデータ１２４における変更対象の印刷ジョブ１５０の印刷長を変更する（ステップＳ３５）。表示制御部１１３は、ステップＳ３６で変更された印刷長に対応させて進捗画像１７１の表示を更新する（ステップＳ３７）。
制御部１００は、設定の変更が完了したか否かを判定する（ステップＳ３８）。ステップＳ３８で、制御部１００は、例えば、キーボード３１またはタッチパネル３２の操作により、設定変更の終了を指示する入力が行われた場合に、肯定判定する（ステップＳ３８；ＹＥＳ）。設定の変更が完了した場合（ステップＳ３８；ＹＥＳ）、制御部１００は本処理を終了する。また、設定の変更が完了していない場合（ステップＳ３８；ＮＯ）、制御部１００は、ステップＳ３４に戻る。
【００７９】
印刷制御部１１２は、印刷長を変更する指示が入力されていない場合（ステップＳ３４；ＮＯ）、入力検出部１１１により、印刷順序を変更する指示が入力されたか否かを判定する（ステップＳ３９）。印刷順序を変更する指示が入力されていない場合（ステップＳ３９；ＮＯ）、印刷制御部１１２はステップＳ３８に移行する。
【００８０】
印刷順序を変更する指示が入力された場合（ステップＳ３９；ＹＥＳ）、印刷制御部１１２は、変更する順序の入力内容を取得する（ステップＳ４０）。印刷制御部１１２は、入力内容に基づき、ジョブデータ１２４における変更対象の印刷ジョブ１５０の画像の順序を変更する（ステップＳ４１）。表示制御部１１３は、ステップＳ４１で変更された印刷順序に対応させて進捗画像１７１の表示を更新し（ステップＳ４２）、ステップＳ３８に移行する。
【００８１】
このように、プリンター１では、進捗画像１７１が表示された状態で、印刷される画像の印刷長、及び、印刷順序を変更できる。このため、プリンター１のオペレーターは、印刷ジョブ１５０に従って印刷を実行する際に、進捗画像１７１により各画像の印刷長と印刷順序とを目視により確認し、必要に応じて、容易に修正できる。また、進捗画像１７１は、印刷長、及び、印刷順序の変更に伴い更新されるので、印刷長と印刷順序を、リアルタイムで目視により確認できる。
【００８２】
以上、説明したように、本実施形態のプリンター１は、印刷媒体Ｗに画像を印刷する印刷部２０と、複数の画像を指定された印刷長で印刷する印刷ジョブ１５０を、印刷部２０により実行させる印刷制御部１１２と、を備える。プリンター１は、ディスプレイ３３と、ディスプレイ３３に、印刷ジョブ１５０の実行状態を示す進捗画像１７１を表示させる表示制御部１１３と、を備える。表示制御部１１３は、進捗画像１７１として、印刷ジョブ１５０に含まれる各々の画像に対応するシンボル画像２０１、２０２、２０３を、各々の画像の印刷長に対応するサイズで表示させる。表示制御部１１３は、印刷部２０による印刷済みの長さを示す実行済表示画像２１１、２１２、２１３を、シンボル画像２０１、２０２、２０３に対応する位置に配置して表示させる。
【００８３】
本発明の印刷装置、印刷制御装置、及び、印刷装置の制御方法を適用したプリンター１によれば、印刷ジョブ１５０に従って印刷媒体Ｗに画像を印刷する際に、印刷する画像を示すシンボル画像２０１、２０２、２０３を表示する。ディスプレイ３３におけるシンボル画像２０１、２０２、２０３の表示サイズは、印刷ジョブ１５０で印刷される画像の印刷長に対応する。このため、印刷される画像と印刷長とを、ディスプレイ３３にわかりやすく表示できる。シンボル画像２０１、２０２、２０３は、印刷部２０が実際に印刷する画像を示すシンボルであるため、ディスプレイ３３の表示領域が小さい場合であっても表示可能である。このため、限られた表示領域に、印刷される画像と印刷長とを、わかりやすく表示できる。さらに、印刷の進捗に応じて、シンボル画像２０１、２０２、２０３に対応する位置に、実行済表示画像２１１、２１２、２１３が表示されるので、印刷の進捗状況を、わかりやすく表示できる。
【００８４】
表示制御部１１３は、シンボル画像２０１、２０２、２０３の一部の表示色を変更した画像で構成される実行済表示画像２１１、２１２、２１３を、ディスプレイ３３に表示させる。このため、ディスプレイ３３に、シンボル画像２０１、２０２、２０３に対応する画像の印刷の進捗状況を、簡易に生成可能な画像により、わかりやすく表示できる。
【００８５】
表示制御部１１３は、印刷部２０が印刷する画像を縮小したサムネイル画像で構成されるシンボル画像２０１、２０２、２０３を、ディスプレイ３３に表示させる。このため、印刷される画像の内容を明瞭に示すシンボル画像２０１、２０２、２０３を利用して、限られた表示領域で、印刷される画像をわかりやすく表示できる。
【００８６】
プリンター１は、キーボード３１及びタッチパネル３２による入力を受け付ける入力検出部１１１を備える。印刷制御部１１２は、入力検出部１１１で受け付けられた入力に基づき、印刷部２０による印刷を開始していない印刷ジョブ１５０の印刷長を変更する。このため、シンボル画像２０１、２０２、２０３を用いた表示により通知される印刷長の設定を、必要に応じて、容易に変更できる。
【００８７】
表示制御部１１３は、印刷ジョブ１５０の印刷長を変更する入力が入力検出部１１１で受け付けられた場合に、印刷長を変更できない印刷ジョブ１５０に対応するシンボル画像２０１、２０２、２０３の表示態様を変更させる。このため、印刷長を変更する操作を行うオペレーターに、印刷長を変更できない画像についてわかりやすく通知できる。
【００８８】
印刷制御部１１２は、入力検出部１１１で受け付けられた入力に基づき、印刷部２０による印刷を開始していない印刷ジョブ１５０の実行順序を変更する。このため、シンボル画像２０１、２０２、２０３を用いて表示される画像の印刷順序の設定を、必要に応じて、容易に変更できる。
【００８９】
印刷制御部１１２は、印刷媒体Ｗに印刷するサイズが規定された画像を、印刷ジョブ１５０に対して指定された印刷長に合わせて、印刷部２０により印刷させる。このため、指定された印刷長で画像を印刷媒体Ｗに印刷するプリンター１において、印刷長をシンボル画像２０１、２０２、２０３の表示サイズにより表現して、わかりやすく表示できる。
【００９０】
なお、上記実施形態は本発明を適用した一具体例を示すものであり、本発明はこれに限定されるものではない。
例えば、上記実施形態では、ロール状に巻き回された印刷媒体Ｗを搬送して、画像を印刷するプリンター１を例に挙げて説明したが、本発明はこれに限定されない。例えば、印刷対象の布帛等の印刷媒体を固定して保持し、印刷ヘッド９を印刷媒体に対して相対的荷移動させて、印刷を行うプリンターにも、本発明を適用できる。例えば、衣類や縫製生地を印刷媒体として固定し、印刷媒体にインクを吐出して印刷する、いわゆるガーメントプリンターに本発明を適用してもよい。また、布帛に限らず、ニット生地、紙、合成樹脂製のシート等に印刷を行う印刷装置に本発明を適用してもよい。
【００９１】
また、本発明の適用対象は、印刷装置として単独で使用される装置に限定されず、例えば、複写機能やスキャン機能を有する複合機やＰＯＳ端末装置等、印刷以外の機能を有する装置に適用してもよい。
【００９２】
また、プリンター１は、紫外線の照射により硬化するインクＩＫを利用する装置であってもよく、この場合、乾燥部７に代えて、プリンター１に紫外線照射装置を設けてもよい。また、プリンター１は、乾燥部７で乾燥された印刷媒体Ｗを洗浄する洗浄装置を備える構成であってもよく、その他のプリンター１の細部構成については任意に変更可能である。
【００９３】
また、制御部１００の各機能部は、上記のようにプロセッサー１１０が実行するプログラムとして構成することができるほか、当該プログラムが組み込まれたハードウェア回路により実現することも可能である。また、上記プログラムを、伝送媒体を介してプリンター１がサーバー装置等から受信する構成であってもよい。
【符号の説明】
【００９４】
１…プリンター（印刷装置）、２…繰出装置、５…搬送ベルト、６…巻取装置、８…キャリッジ、９…印刷ヘッド、２０…印刷部、２１…搬送機構、２２…キャリッジ駆動機構、２９…インターフェイス、３０…操作部（入力部）、３１…キーボード、３２…タッチパネル、３３…ディスプレイ（表示部）、１００…制御部（印刷制御装置）、１１０…プロセッサー、１１１…入力検出部、１１２…印刷制御部、１１３…表示制御部、１２０…記憶部、１２１…制御プログラム、１２２…設定データ、１２３…画像データ、１２４…ジョブデータ、１５０…印刷ジョブ、１７１…進捗画像、２０１、２０２、２０３…シンボル画像、２１１、２１２、２１３…実行済表示画像、２２１…通知画像、Ｗ…印刷媒体。
【図１】
2020044807.tif 000003
【図２】
2020044807.tif 000004
【図３】
2020044807.tif 000005
【図４】
2020044807.tif 000006
【図５】
2020044807.tif 000007
【図６】
2020044807.tif 000008
【図７】
2020044807.tif 000009
【図８】
2020044807.tif 000010